(57)【要約】【課題】書替え可能なＤＶＤディスクにおいて、特にＲＭＤを記録する管理領域の書替え耐性を向上し、記録品質を改善する。【解決手段】例えばＤＶＤ−ＲＷディスクへの情報データの記録に伴い、Ｒ−ｉｎｆｏｍａｔｉｏｎ領域に記録された管理情報を更新する際、複数の管理領域全体に対して、前記更新する管理情報とは異なるパターンのダミーデータを記録し、さらにＤＣイレーズを行った後に、所定の管理領域に更新された管理情報を記録する。ＤＣイレーズのみの繰返しによる記録品質の低下を改善する。【選択図】図３Ｂ
2011165252.tif 000002
【特許請求の範囲】
【請求項１】
光ディスクを記録媒体とし前記光ディスクに対して情報データと前記光ディスクにおける前記情報データの管理情報を記録再生する光ディスク装置であって、
入力された前記情報データと該情報データの管理情報を前記光ディスクに記録する記録信号に変換する記録信号処理部と、
該記録信号処理部から供給された前記記録信号を前記光ディスクに記録し、また前記光ディスクから記録された信号を再生し再生信号を生成する光ピックアップと、
該光ピックアップから供給された前記再生信号を変換して元の情報データと該情報データの管理情報を出力する再生信号処理部と、
前記光ディスク装置の動作を制御するシステム制御部を有し、
該システム制御部は、前記光ディスクに記録された情報データが更新された場合には、前記再生信号処理部が出力した前記情報データの管理情報に基づいて前記情報データの更新後の管理情報を生成し、
前記光ディスクにおける前記情報データの管理情報の記録エリアにダミーデータを記録したうえで該ダミーデータをＤＣイレーズした後、前記情報データの更新後の管理情報を記録するよう前記記録信号処理部を制御することを特徴とする光ディスク装置。
【請求項２】
請求項１に記載する光ディスク装置において、前記ダミーデータは前記情報データの管理情報とは異なるパターンを有することを特徴とする光ディスク装置。
【請求項３】
光ディスクを記録媒体とし前記光ディスクに対して情報データと前記光ディスクにおける前記情報データの管理情報を記録再生する光ディスク装置の管理情報の更新方法であって、
前記光ディスクにおける前記管理情報の記録エリアにダミーデータを記録する記録ステップと、
前記光ディスクにおける前記管理情報の記録エリアの前記ダミーデータをＤＣイレーズする消去ステップと、
前記光ディスクにおける前記管理情報の記録エリアに更新された前記管理情報を記録する更新ステップ
を有することを特徴とする光ディスク装置の管理情報の更新方法。
【請求項４】
請求項３に記載する光ディスク装置の管理情報の更新方法において、前記ダミーデータは前記情報データの管理情報とは異なるパターンを有することを特徴とする光ディスク装置の管理情報の更新方法。
【発明の詳細な説明】
【技術分野】
【０００１】
本発明は光ディスク装置、及び光ディスク装置の管理情報の更新方法に係り、特に記録品質を改善した光ディスク装置、及び光ディスク装置の管理情報の更新方法に関するものである。
【背景技術】
【０００２】
光ディスクを記録媒体とする光ディスク装置においては、光ピックアップが光ディスクに対してレーザ光を照射して新たな情報データを記録する際に、記録するエリアに既に情報データが記録されている場合でも、これを消去せずに重ね書き記録することがある。一方、レーザ光のデータ記録時の記録パワーとデータ再生時の再生パワーに対し、その間の値にある消去パワーを光ピックアップが光ディスクに照射して、既に記録されていた情報データを消去したうえで、新たな情報データを記録することもある。情報データの消去に用いるレーザ光は無変調であり、一定のパワーを光ディスク面に照射することになるため、前記した消去方法をＤＣイレーズ（直流イレーズ）と呼ぶことがある。
【０００３】
ＤＣイレーズは、記録品質を確保するうえで、即ち再生データにおける誤り発生率を低減するうえで有効である。書替え可能なＤＶＤ−ＲＷやＤＶＤ−ＲＡＭなどの光ディスクを使用する時、特に光ディスクの内周部にある記録管理領域ＲＭＡ（Recording Management Area）の記録管理情報ＲＭＤ（Recording Management Data）を書替える時に有効である。書替えられたＲＭＤの記録品質が悪く、再生された際の誤りが多い場合には、情報データ全体の再生が不可能になるからである。
【０００４】
特許文献１においては、書替え可能な光ディスクに対する最適な記録パワーを決定するための試し書きをする際、試し書きをする記録エリアをＤＣイレーズした後に試し書きすることにより、正確で安定した結果を得る方法を開示している。
【先行技術文献】
【特許文献】
【０００５】
【特許文献１】特開２００５−３８４６６号公報
【発明の概要】
【発明が解決しようとする課題】
【０００６】
書替え可能な光ディスクにおいては、例えばＨＤＤ（Hard Disc Drive）などと比較し、書替え耐性、即ち耐えられる書替え回数において、まだ及ばない点がある。一つの要因として、前記したＲＭＡにおいては書替えが頻繁に行われるために、このエリアの書替え耐性の問題があげられる。
【０００７】
ＲＭＡは複数の記録エリアを有しており、書替えの繰返しにより一つの記録エリアの誤り発生率が所定値を越えた場合には、この記録エリアを無効として別の記録エリアを使用するようにしている。ところが別の記録エリアでの誤り発生率が既に劣化していることがあり、最初に使用した記録エリアほどは書替えを繰返すことができないという問題がある。
本発明の目的は前記した問題に鑑み、記録品質を改善した光ディスク装置、及び光ディスク装置の管理情報の更新方法を提供することにある。
【課題を解決するための手段】
【０００８】
前記課題を解決するため本発明は、光ディスクを記録媒体とし前記光ディスクに対して情報データと前記光ディスクにおける前記情報データの管理情報を記録再生する光ディスク装置であって、入力された前記情報データと該情報データの管理情報を前記光ディスクに記録する記録信号に変換する記録信号処理部と、該記録信号処理部から供給された前記記録信号を前記光ディスクに記録し、また前記光ディスクから記録された信号を再生し再生信号を生成する光ピックアップと、該光ピックアップから供給された前記再生信号を変換して元の情報データと該情報データの管理情報を出力する再生信号処理部と、前記光ディスク装置の動作を制御するシステム制御部を有し、該システム制御部は、前記光ディスクに記録された情報データが更新された場合には、前記再生信号処理部が出力した前記情報データの管理情報に基づいて前記情報データの更新後の管理情報を生成し、前記光ディスクにおける前記情報データの管理情報の記録エリアにダミーデータを記録したうえで該ダミーデータをＤＣイレーズした後、前記情報データの更新後の管理情報を記録するよう前記記録信号処理部を制御することを特徴としている。
【０００９】
また本発明は、光ディスクを記録媒体とし前記光ディスクに対して情報データと前記光ディスクにおける前記情報データの管理情報を記録再生する光ディスク装置の管理情報の更新方法であって、前記光ディスクにおける前記管理情報の記録エリアにダミーデータを記録する記録ステップと、前記光ディスクにおける前記管理情報の記録エリアの前記ダミーデータをＤＣイレーズする消去ステップと、前記光ディスクにおける前記管理情報の記録エリアに更新された前記管理情報を記録する更新ステップを有することを特徴としている。
【発明の効果】
【００１０】
本発明によれば、記録品質を改善した光ディスク装置、及び光ディスク装置の管理情報の更新方法を提供でき、光ディスク装置の基本性能の向上に寄与できるという効果がある。
【図面の簡単な説明】
【００１１】
【図１】本発明の一実施例における光ディスク装置のブロック図である。
【図２】光ディスクの管理領域更新方法を示す図である。
【図３Ａ】従来の管理領域更新方法を示すフロー図である。
【図３Ｂ】本発明の一実施例における管理領域更新方法を示すフロー図である。
【図４】更新回数とエラー発生数の関係を示す特性図である。
【発明を実施するための形態】
【００１２】
以下、本発明の実施例につき図面を用いて説明する。まず光ディスク装置全体の動作について述べる。
図１は、本発明の一実施例における光ディスク装置のブロック図である。記録媒体である光ディスク１は、ＣＤ（Compact Disk）、ＤＶＤ（Digital Versatile Disk）、ＢＤ（Blu-ray Disk）などである。もちろん、ＢＤ−ＲやＤＶＤ−Ｒをはじめとする一回のみ記録が可能な追記型、ＢＤ−ＲＥやＤＶＤ−ＲWをはじめとする書換え型のいずれを用いても良いが、本実施例は特に書換え型の光ディスクを用いる際に有効である。 装着された光ディスク１は、シャフト２Ａを介してスピンドルモータ２により回転駆動される。そのための駆動制御信号はシステム制御回路９から供給されている。
【００１３】
光ピックアップ３は、レーザ光束３Ｅを光ディスク１の記録面に照射し、データを記録ないし再生する。すなわち、記録する符号化データに基づき変調されたレーザ光がＬＤ（Laser Diode）をはじめとする半導体レーザ光源３Ａで発生され、ビームスプリッタ３Ｂを通過し、立上げミラー３Ｃで反射され、対物レンズ３Ｄで光ディスク１に対してフォーカス合せをされてレーザ光束３Ｅとされ、光ディスク１の記録面に照射され、データを記録する。再生する際は、光ディスク１の記録ピットに応じて変調された反射光であるレーザ光束３Ｅが、対物レンズ３Ｄを介して立上げミラー３Ｃで反射され、ビームスプリッタ３Ｂの接合面でも反射され、光ディテクタ３Ｆで電気信号に変換されながら、再生信号として検出される。なお、ここで示した光ピックアップ３の構成は簡略化された一例である。例えば収差を吸収するコリメートレンズをさらに有し、また構成要素の配列が異なるものなど別な例もあるが、本実施例においては、いずれを用いても良い。
【００１４】
光ピックアップ３は、スレッド機構（図示せず）に搭載されており、光ディスク１上の半径方向に移動して所定のトラック位置において記録再生を行う。このための制御信号は、システム制御回路９で生成される。また対物レンズ３Ｄはアクチュエータ（図示せず）に搭載されており、やはりシステム制御回路９で生成される制御信号に基づき、レーザ光束３Ｅが光ディスク１の所定の記録トラック上に正しくフォーカスしてトレースするように、光ディスク１に対する垂直方向と半径方向の位置を微調整される。
【００１５】
次に信号回路部の動作について説明する。まずデータ記録時は入力端子４Ａを介して、入出力回路５に記録データが供給される。これはバッファメモリ６に一時的に格納される。記録信号処理回路７は、メモリ６から所定量のデータを読み出したうえで、エラー訂正符号を付加し、また符合の発生確率に応じた符号化のための変調処理などを行って記録信号を生成する。ライトパルス生成回路８は、前記した記録信号を受けてレーザ発光パルス列に変換して、ピックアップ３のＬＤ（３Ａ）に供給する。これにより、記録信号は光ディスク１へ記録される。
【００１６】
なおデータの記録に際しては、システム制御回路９はライトパルス生成回路８に予め指示して、光ピックアップ３が所定の消去パワーを有するレーザ光を光ディスク１のデータ記録エリアに照射することにより、予め前記したＤＣイレーズをするようにしても良い。これにより再生時のエラー発生を低減でき、記録品質を向上することができる。
【００１７】
一方再生時には、光ディテクタ３Ｆで検出された電気信号としての再生信号が、ＡＦＥ（Analog Front End）回路１０に供給される。ＡＦＥ回路１０は、ディジタル記録であっても本質的にはアナログ信号として扱うべき前記再生信号の処理を行う。即ちＡＦＥ回路１０は、再生信号を演算処理してＴＥ（Tracking Error）信号やＦＥ（Focus Error）信号を生成し、システム制御回路９に供給する。システム制御回路９は、供給されたＴＥ信号やＦＥ信号に基づきトラッキング用とフォーカス用のサーボ信号を生成し、光ピックアップ３に供給してその動作を制御する。なお、ＴＥ信号やＦＥ信号の詳しい生成方法については、本発明の主眼ではないので記載を省略する。
【００１８】
またＡＦＥ回路１０は、光ピックアップ３や光ディスク１でデータを記録再生した際の、振幅や位相の周波数特性を等化し、再生信号の波形がさきのライトパルス生成回路８の出力波形に極力近づくようにする。さらにＤＥＭ（Demodulator）回路１１で、前記した記録信号処理回路７での符号化変調処理が復調され、ＥＣＣ（Error Correction Circuit）回路１２で記録再生過程におけるエラー訂正処理が施される。ＥＣＣ回路１２において必要なエラー訂正を施された再生データは、バッファメモリ６に一時的に格納される。バッファメモリ６に格納された再生データは、入出力回路５と出力端子４Ｂを介して外部の装置へ逐次転送される。
【００１９】
先のデータの記録時には、光ディスク１のＲＭＡ（Recording Management Area）におけるＲＭＤ（Recording Management Data）を更新する必要がある。ＲＭＤは、データが記録された光ディスク上のアドレスを含む管理情報である。従って新たなデータを記録するごとに更新する必要がある。
【００２０】
このため光ピックアップ３はシステム制御回路９の指示を受け、既に記録されているＲＭＤを再生して先のＡＦＥ回路１０、ＤＥＭ回路１１、ＥＣＣ回路１２を介してシステム制御回路９に供給する。システム制御回路９は供給されたＲＭＤに基づき、新たに行われたデータ記録に関わる情報を有する新たなＲＭＤを生成し、バッファメモリ６に供給する。バッファメモリ６に供給された新たなＲＭＤは、先の記録信号処理回路７、ライトパルス生成回路８を介して光ピックアップ３に与えられ、前記ＲＭＡにおけるＲＭＤが更新される。
【００２１】
例えば映像コンテンツデータなどに比べＲＭＤは頻繁に書替えられるため、ＲＭＡにおける書替え耐性は特に重要になる。またＲＭＤの更新に際しては、前記したＤＣイレーズをして記録品質を向上することが効果的である。ＲＭＤの記録品質が不良な場合には、光ディスク１に記録された全てのデータが再生不能となる場合があるからである。
なお、前記したＲＭＡは例えばＤＶＤ−ＲＷの場合、光ディスク１の記録領域のなかでは最も内周側にあるR-information領域にあり、ＲＭＤを記録するための記録エリアを７００個有している。即ち、書替え耐性の向上のためにＲＭＡは複数の記録エリアを有しており、エラーレートが所定値を越えた場合には、これまで使用していた記録エリアを無効として、別の記録エリアを用いるようにしている。
【００２２】
ところが別の記録エリアでのエラーレートが既に劣化していることがあり、最初に使用した記録エリアほどは書替えを繰返すことができないという問題があった。この記録品質の劣化に関して、発明者は前記したＤＣイレーズの繰返しが関係していることを解明した。次にこの件について述べる。
【００２３】
図２は、光ディスクの管理領域更新方法を示す図である。先のR-information領域は、ＲＭＡに当たる複数の記録エリア（管理領域とも言う）を含んでいる。図２では煩雑化を避けるため、管理領域を４個のみ示しているが実際は前記したとおり、例えばＤＶＤ−ＲＷは７００個の管理領域を有している。但し、本実施例では複数であれば何個であっても良く、個数を限定するものではない。最初は第１の管理領域（以下、管理領域−１（１０２１））を用いてＲＭＤを記録再生していたとする。ＲＭＤを更新する際は、まず管理領域−１（１０２１）から管理領域−４（１０２４）の全てをＤＣイレーズしたうえで（図中の（１））、管理領域−１（１０２１）に更新したＲＭＤを記録する（図中の（２））。
【００２４】
繰返し更新するうちに書替え耐性が問題となり、管理領域−１（１０２１）の記録品質が劣化した際には管理領域−１（１０２１）のデータを無効とし、例えば管理領域−２（１０２２）に更新したＲＭＤを記録するようにしている（図中の（３））。ところが前記したように、管理領域−２（１０２２）は使用開始した後、先に使用した管理領域−１（１０２１）よりも少ない書替え回数で記録品質が劣化する問題があった。この場合は、例えば管理領域が４個であっても、耐えられる書替え回数は１個の場合の４倍とはならず、光ディスクの書替えに対する寿命が短くなる。管理領域−２（１０２２）以後の記録領域においても記録品質を向上する工夫が必要となる。
【００２５】
この原因につき発明者は、管理領域−１（１０２１）を更新して使用する間にも管理領域−２（１０２２）以後の記録領域に対して、ＲＭＤを記録することなくＤＣイレーズを繰返していることに起因すると考えた。即ち、相変化型の光ディスクにおいてＤＣイレーズのみが繰返し行われ、一定のパワーが繰返し照射されることにより、マークを高い品質で記録することが困難になると考えた。そこで、現在ＲＭＤを更新する際に使用していない管理領域（例えば管理領域−２（１０２２）から管理領域−４（１０２４））を含め管理領域に対して、例えば更新データとは異なるデータパターンをダミー記録したうえでＤＣイレーズを行うようにすることで、管理領域−２（１０２２）以後の記録領域についても書替えに対する耐性を改善し、記録品質を向上するようにした。更新データそのものではなく、これとは異なるデータパターンを用いる理由は、類似のパターンを繰返し記録することによる書替え耐性の劣化を防ぐためである。例えばマークとスペースが一定の間隔で繰返すようなパターンであって良い。
【００２６】
図３Ａは、従来の管理領域更新方法を示すフロー図であり、図３Ｂは、本発明の一実施例における管理領域更新方法を示すフロー図である。
従来は図３Ａに示すようにＲＭＤを更新するに際して、まずステップＳ３１で全ての管理領域に対してＤＣイレーズを行い、次いでステップＳ３２で現在使用中の一つの管理領域に対して、新たなＲＭＤを記録して更新していた。
【００２７】
本実施例においては図３Ｂに示すようにＲＭＤを更新するに際して、まずステップＳ３３で全ての管理領域に対して更新データとは異なるデータパターンをダミー記録し、ステップＳ３４で全ての管理領域に対してＤＣイレーズを行い、次いでステップＳ３５で現在使用中の一つの管理領域に対して、新たなＲＭＤを記録して更新する。このようにして、現在ＲＭＤを更新する際に使用していない管理領域に対して、ＤＣイレーズのみが繰返されることのないようにして、該管理領域の書替え耐性を向上し記録品質を改善している。
【００２８】
図４は、更新回数（横軸）とエラー発生数（縦軸；エラーレート）の関係を示す特性図である。エラーレートはPIsum8と呼ばれるパラメータで示している。ＤＶＤでは記録し再生するデータをＥＣＣ（Error Correction Code）ブロック単位で処理する。一つのＥＣＣブロックは、横方向１８２バイトのデータ行を２０８列ほど縦方向に有する。横方向１８２バイトのうち、最後の１０バイトはエラー訂正に使用するＰＩ（Parity Inner）コードである。縦方向２０８列のうち、最後の１６列はエラー訂正に使用するＰＯ（Parity Outer）コードである。一列のデータに１バイト以上のエラーがあると、エラー発生数はＰＩエラー１個とカウントされる。図４におけるPIsum8とは、連続した８つのＥＣＣブロックにおけるＰＩエラーの発生数を示している。ＤＶＤの規格では、PIsum8を２８０個以内とするように定められている。
【００２９】
図４によれば、従来（図中の破線）は特に更新回数が８回を越えたあたりからエラーレートが急に劣化し、９回目では前記したPIsum8の値が２８０個を超えているが、本実施例（図中の実線）ではこのような急激な劣化はなく、記録品質が向上していることが分かる。なお、図４では更新回数が４〜７回目においては、本実施例はエラーレートが若干劣化しているのは、前記したダミー記録によるものである。しかし、この更新回数においてはPIsum8の値は前記した２８０より相当小さいため、エラー発生数の増加は問題ない。むしろ更新回数が８回を越えた後でも、従来の方法に見られるようなエラー発生数の急激な増加はなく、書替え耐性の向上が向上していることが分かる。
このように特定の管理領域に対してＤＣイレーズのみが繰返されることによる記録品質の劣化を、更新データとは異なるデータパターンを予めダミー記録したうえでＤＣイレーズすることによって解決し、記録品質を改善した光ディスク装置を提供することができた。
【００３０】
ここまで示した実施形態は一例であって、本発明を限定するものではない。本発明の趣旨に基づきながら異なる実施形態を考えられるが、いずれも本発明の範疇にある。
【符号の説明】
【００３１】
１：光ディスク、３：光ピックアップ、９：システム制御回路、１０２１〜１０２４：管理領域。
【図１】
2011165252.tif 000003
【図２】
2011165252.tif 000004
【図３Ａ】
2011165252.tif 000005
【図３Ｂ】
2011165252.tif 000006
【図４】
2011165252.tif 000007